(57)【要約】  本開示は医療用顕微鏡分野に関するものである。本開示の一実施例による対象体の断層映像を形成するためのＯＣＴ(Ｏｐｔｉｃａｌ  Ｃｏｈｅｒｅｎｃｅ  Ｔｏｍｏｇｒａｐｈｙ)ユニットに連結されるステレオ顕微鏡は、所定サイズの使用口径を有する複数のレンズで構成された対物レンズ部、対物レンズ部の使用口径内に位置する一対の倍率レンズ使用口径をそれぞれ有する複数のレンズで構成された一対の第１倍率レンズ部、対物レンズ部の使用口径内で倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を有する複数のレンズで構成された第２倍率レンズ部とＯＣＴユニットから光を受信して第２倍率レンズ部に伝達し、第２倍率レンズ部から受信された光をＯＣＴユニットに伝達する光伝達部を含むものの、第２倍率レンズ部は、光伝達部から受信された光を対象体に照射し、対象体から反射された光を光伝達部に伝達する。
2020530129.tif 000002
【特許請求の範囲】
【請求項１】
対象体の断層映像を形成するためのＯＣＴ(Ｏｐｔｉｃａｌ  Ｃｏｈｅｒｅｎｃｅ  Ｔｏｍｏｇｒａｐｈｙ)ユニットが結合可能なステレオ顕微鏡であって、
所定サイズの使用口径を有する複数のレンズで構成された対物レンズ部と、
前記対物レンズ部の使用口径内に位置する一対の倍率レンズ使用口径をそれぞれ有する複数のレンズで構成された一対の第１倍率レンズ部と、
前記対物レンズ部の使用口径内で前記倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を有する複数のレンズで構成された第２倍率レンズ部と、及び
前記ＯＣＴユニットから光を受信して前記第２倍率レンズ部に伝達し、前記第２倍率レンズ部から受信された光を前記ＯＣＴユニットに伝達する光伝達部と、を含むものの、
前記第２倍率レンズ部は、
前記光伝達部から受信された光を前記対象体に照射し、前記対象体から反射された光を前記光伝達部に伝達する、
ステレオ顕微鏡。
【請求項２】
前記一対の第１倍率レンズ部及び前記第２倍率レンズ部は、前記一対の第１倍率レンズ部が含む複数のレンズ及び前記第２倍率レンズ部が含む複数のレンズそれぞれの側面を囲み、それぞれ別途に配置される鏡筒を含む、
請求項１に記載のステレオ顕微鏡。
【請求項３】
前記一対の倍率レンズ使用口径は、前記対物レンズ部の光軸を基準に対称となる位置に配置され、前記ＯＣＴ使用口径は、前記一対の倍率レンズ使用口径を連結した軸と離隔して配置され、前記ＯＣＴ使用口径から前記軸と連結される法線は、前記光軸と交差する、
請求項１に記載のステレオ顕微鏡。
【請求項４】
前記光伝達部は、
フォールディングミラー(ｆｏｌｄｉｎｇ  ｍｉｒｒｏｒ)、ビームスプリッタ(ｂｅａｍ  ｓｐｌｉｔｔｅｒ)またはプリズム(ｐｒｉｓｍ)のうちの少なくとも１つを含む、
請求項１に記載のステレオ顕微鏡。
【請求項５】
前記対物レンズ部の使用口径内で前記倍率レンズ使用口径及び前記ＯＣＴ使用口径と離隔配置される使用口径を有する照明部をさらに含む、
請求項１に記載のステレオ顕微鏡。
【請求項６】
前記一対の第１倍率レンズ部を通じて受信される前記対象体の立体映像がそれぞれ結像される一対の接眼レンズ部をさらに含み、
前記光伝達部は、
前記一対の接眼レンズ部と前記第２倍率レンズ部との間に配置される、
請求項１に記載のステレオ顕微鏡。
【請求項７】
対象体の断層映像を形成するためのＯＣＴ(Ｏｐｔｉｃａｌ  Ｃｏｈｅｒｅｎｃｅ  Ｔｏｍｏｇｒａｐｈｙ)ユニットと、及び
前記対象体の立体映像を形成するためのステレオ顕微鏡を含むものの、
前記ステレオ顕微鏡は、
所定サイズの使用口径を有する複数のレンズで構成された対物レンズ部と、
前記対物レンズ部の使用口径内に位置する一対の倍率レンズ使用口径をそれぞれ有する複数のレンズで構成された一対の第１倍率レンズ部と、
前記対物レンズ部の使用口径内で前記倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を有する複数のレンズで構成された第２倍率レンズ部と、及び
前記ＯＣＴユニットから光を受信して前記第２倍率レンズ部に伝達し、前記第２倍率レンズ部から受信された光を前記ＯＣＴユニットに伝達する光伝達部と、を含み、
前記第２倍率レンズ部は、
前記光伝達部から受信された光を前記対象体に照射し、前記対象体から反射された光を前記光伝達部に伝達する、
光学装置。
【請求項８】
前記一対の第１倍率レンズ部及び前記第２倍率レンズ部は、前記一対の第１倍率レンズ部が含む複数のレンズ及び前記第２倍率レンズ部が含む複数のレンズのそれぞれの側面を囲み、それぞれ別途に配置される鏡筒を含む、
請求項７に記載の光学装置。
【請求項９】
前記一対の倍率レンズ使用口径は、前記対物レンズ部の光軸を基準に対称となる位置に配置され、前記ＯＣＴ使用口径は、前記一対の倍率レンズ使用口径を連結した軸と離隔して配置され、前記ＯＣＴ使用口径から前記軸と連結される法線は、前記光軸と交差する、
請求項７に記載の光学装置。
【請求項１０】
前記光伝達部は、
フォールディングミラー(ｆｏｌｄｉｎｇ  ｍｉｒｒｏｒ)、ビームスプリッタ(ｂｅａｍ  ｓｐｌｉｔｔｅｒ)またはプリズム(ｐｒｉｓｍ)のうちの少なくとも１つを含む、
請求項７に記載の光学装置。
【請求項１１】
前記ステレオ顕微鏡は、
前記対物レンズ部の使用口径内で前記倍率レンズ使用口径及び前記ＯＣＴ使用口径と離隔配置される使用口径を有する照明部をさらに含む、
請求項７に記載の光学装置。
【請求項１２】
前記ステレオ顕微鏡は、
前記一対の第１倍率レンズ部を通じて受信される前記対象体の立体映像がそれぞれ結像される一対の接眼レンズ部をさらに含み、
前記光伝達部は、
前記一対の接眼レンズ部と前記第２倍率レンズ部との間に配置される、
請求項７に記載の光学装置。
【請求項１３】
対象体の立体映像及び断層映像を形成するための光路の形成方法であって、
対物レンズ部によって、所定サイズの使用口径を形成する段階と、
第１倍率レンズ部によって、前記対物レンズ部の使用口径内に位置するように倍率レンズ使用口径を形成する段階と、
第２倍率レンズ部によって、前記対物レンズ部の使用口径内に位置し、前記倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を形成する段階と、
光伝達部によって、対象体の断層映像を形成するためのＯＣＴユニットから受信された光を前記第２倍率レンズ部に伝達する段階と、
前記第２倍率レンズ部によって、前記光伝達部から受信された光を前記対象体に照射し、前記対象体から反射された光を前記光伝達部に伝達する段階と、及び
前記光伝達部によって、前記第２倍率レンズ部から受信された光を上記ＯＣＴユニットに伝達する段階と、を含む、
光路の形成方法。
【発明の詳細な説明】
【技術分野】
【０００１】
本開示は、ステレオ顕微鏡、光学装置及びこれを用いた光路の形成方法に関するものである。
【背景技術】
【０００２】
顕微鏡は、対象体を拡大した光学映像を形成できる光学装置であって、特にステレオ顕微鏡は両眼に対応する光学系をそれぞれ備え、対象体の立体映像を形成することができる。
【０００３】
ＯＣＴ(Ｏｐｔｉｃａｌ  Ｃｏｈｅｒｅｎｃｅ  Ｔｏｍｏｇｒａｐｈｙ)装置は、光の干渉現象を用いて対象体の断層映像を形成できる光学装置であって、開発の初期段階には、光路を機械的に変化させながら、１秒当たり数フレーム(ｆｒａｍｅ)の断層映像を獲得でき、最近は、波長可変レーザを用いて１秒当たり数百フレームの断層映像を形成できるようになった。
【０００４】
一般にステレオ顕微鏡は、対象体の外観の立体的な形状を観察するのに用いられ、ＯＣＴ装置は、対象体の表面から一定深さまでの３次元断層映像を形成することができ、対象体の内部構造を観察するのに用いられる。
【発明の概要】
【発明が解決しようとする課題】
【０００５】
医療分野において、例えば、手術中に患者の身体の一部のような対象体の外観を観察するのにステレオ顕微鏡が用いられる。この場合、手術途中には特定対象体の外観だけでなく、その内部構造に対するより精密な検査のために追加の装置が要求される。
【課題を解決するための手段】
【０００６】
本開示の一実施例によると、対象体の断層映像を形成するためのＯＣＴ(Ｏｐｔｉｃａｌ  Ｃｏｈｅｒｅｎｃｅ  Ｔｏｍｏｇｒａｐｈｙ)ユニットが結合可能なステレオ顕微鏡は、所定サイズの使用口径を有する複数のレンズで構成された対物レンズ部；上記対物レンズ部の使用口径内に位置する一対の倍率レンズ使用口径をそれぞれ有する複数のレンズで構成された一対の第１倍率レンズ部；上記対物レンズ部の使用口径内で上記倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を有する複数のレンズで構成された第２倍率レンズ部；及び上記ＯＣＴユニットから光を受信して上記第２倍率レンズ部に伝達し、上記第２倍率レンズ部から受信された光を上記ＯＣＴユニットに伝達する光伝達部を含み、上記第２倍率レンズ部は、上記光伝達部から受信された光を上記対象体に照射し、上記対象体から反射された光を上記光伝達部に伝達することができる。
【０００７】
一実施例において、上記一対の第１倍率レンズ部及び上記第２倍率レンズ部は、上記一対の第１倍率レンズ部が含む複数のレンズ及び上記第２倍率レンズ部が含む複数のレンズそれぞれの側面を囲み、それぞれ別途に配置される鏡筒を含み得る。
【０００８】
一実施例において、上記一対の倍率レンズ使用口径は、上記対物レンズ部の光軸を基準に対称となる位置に配置され、上記ＯＣＴ使用口径は、上記一対の倍率レンズ使用口径を連結した軸と離隔して配置され、上記ＯＣＴ使用口径から上記軸と連結される法線は、上記光軸と交差することができる。
【０００９】
一実施例において、上記光伝達部は、フォールディングミラー(ｆｏｌｄｉｎｇ  ｍｉｒｒｏｒ)、ビームスプリッタ(ｂｅａｍ  ｓｐｌｉｔｔｅｒ)またはプリズム(ｐｒｉｓｍ)のうちの少なくとも１つを含み得る。
【００１０】
一実施例において、上記対物レンズ部の使用口径内で上記倍率レンズ使用口径及び上記ＯＣＴ使用口径と離隔配置される使用口径を有する照明部をさらに含み得る。
【００１１】
一実施例において、上記一対の第１倍率レンズ部を通じて受信される上記対象体の立体映像がそれぞれ結像される一対の接眼レンズ部をさらに含み、上記光伝達部は、上記一対の接眼レンズ部と上記第２倍率レンズ部との間に配置され得る。
【００１２】
本開示の一実施例による光学装置は、対象体の断層映像を形成するためのＯＣＴ(Ｏｐｔｉｃａｌ  Ｃｏｈｅｒｅｎｃｅ  Ｔｏｍｏｇｒａｐｈｙ)ユニット；及び上記対象体の立体映像を形成するためのステレオ顕微鏡を含み、上記ステレオ顕微鏡は、所定サイズの使用口径を有する複数のレンズで構成された対物レンズ部；上記対物レンズ部の使用口径内に位置する一対の倍率レンズ使用口径をそれぞれ有する複数のレンズで構成された一対の第１倍率レンズ部；上記対物レンズ部の使用口径内で上記倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を有する複数のレンズで構成された第２倍率レンズ部；及び上記ＯＣＴユニットから光を受信して上記第２倍率レンズ部に伝達し、上記第２倍率レンズ部から受信された光を上記ＯＣＴユニットに伝達する光伝達部を含み、上記第２倍率レンズ部は、上記光伝達部から受信された光を上記対象体に照射し、上記対象体から反射された光を上記光伝達部に伝達することができる。
【００１３】
一実施例において、上記一対の第１倍率レンズ部及び上記第２倍率レンズ部は、上記一対の第１倍率レンズ部が含む複数のレンズ及び上記第２倍率レンズ部が含む複数のレンズそれぞれの側面を囲み、それぞれ別途に配置される鏡筒を含み得る。
【００１４】
一実施例において、上記一対の倍率レンズ使用口径は、上記対物レンズ部の光軸を基準に対称となる位置に配置され、上記ＯＣＴ使用口径は、上記一対の倍率レンズ使用口径を連結した軸と離隔して配置され、上記ＯＣＴ使用口径から上記軸と連結される法線は、上記光軸と交差することができる。
【００１５】
一実施例において、上記光伝達部は、フォールディングミラー(ｆｏｌｄｉｎｇ  ｍｉｒｒｏｒ)、ビームスプリッタ(ｂｅａｍ  ｓｐｌｉｔｔｅｒ)またはプリズム(ｐｒｉｓｍ)のうちの少なくとも１つを含み得る。
【００１６】
一実施例において、上記ステレオ顕微鏡は、上記対物レンズ部の使用口径内で上記倍率レンズ使用口径及び上記ＯＣＴ使用口径と離隔配置される使用口径を有する照明部をさらに含み得る。
【００１７】
一実施例において、上記ステレオ顕微鏡は、上記一対の第１倍率レンズ部を通じて受信される上記対象体の立体映像がそれぞれ結像される一対の接眼レンズ部をさらに含み、上記一対の接眼レンズ部と上記第２倍率レンズ部との間に配置され得る。
【００１８】
本開示の一実施例による対象体の立体映像及び断層映像を形成するための光路の形成方法は、対物レンズ部によって、所定サイズの使用口径を形成する段階；第１倍率レンズ部によって、上記対物レンズ部の使用口径内に位置するように倍率レンズ使用口径を形成する段階；第２倍率レンズ部によって、上記対物レンズ部の使用口径内に位置し、上記倍率レンズ使用口径と別途に配置されるＯＣＴ(Ｏｐｔｉｃａｌ Ｃｏｈｅｒｅｎｃｅ Ｔｏｍｏｇｒａｐｈｙ)使用口径を形成する段階；光伝達部によって、対象体の断層映像を形成するためのＯＣＴユニットから受信された光を上記第２倍率レンズ部に伝達する段階；上記第２倍率レンズ部によって、上記光伝達部から受信された光を上記対象体に照射し、上記対象体から反射された光を上記光伝達部に伝達する段階；及び上記光伝達部によって、上記第２倍率レンズ部から受信された光を上記ＯＣＴユニットに伝達する段階を含み得る。
【発明の効果】
【００１９】
本開示の多様な実施例によると、ステレオ顕微鏡において立体映像の形成に用いられる光学系の干渉なしにＯＣＴユニットの断層映像形成に用いられる光伝達部の挿入位置及びサイズを自由に調節することができる。
【００２０】
また、本開示の多様な実施例によると、用いられる光の波長が互いに異なるステレオ顕微鏡とＯＣＴユニットにおいて倍率レンズ部を共有して用いることによって発生し得る性能低下を改善することができる。
【図面の簡単な説明】
【００２１】
【図１】図１は、本開示の一実施例による光学装置の使用環境を示す例示図である。
【図２】図２は、本開示の一実施例による光学装置の構成を示す例示図である。
【図３】図３は、本開示の一実施例による光学装置の各使用口径を示す概念図である。
【図４】図４は、本開示の一実施例による対象体の立体映像及び断層映像を形成するための光路の形成方法の手順を示すフローチャートである。
【発明の具体的な説明】
【００２２】
本開示の実施例は、本開示を説明する目的で例示されたものである。本開示の実施例は多様な形態で実施され得、本開示が下記提示された実施例やこれらの実施例に関する具体的説明に限定されると解釈してはならない。
【００２３】
本開示で用いられる用語「部」は、ソフトウェア、ＦＰＧＡ(ｆｉｅｌｄ-ｐｒｏｇｒａｍｍａｂｌｅ  ｇａｔｅ  ａｒｒａｙ)、ＡＳＩＣ(ａｐｐｌｉｃａｔｉｏｎ  ｓｐｅｃｉｆｉｃ  ｉｎｔｅｇｒａｔｅｄ  ｃｉｒｃｕｉｔ)のようなハードウェアの構成要素を意味する。しかし、「部」は、ハードウェア及びソフトウェアに限定されるものではない。「部」は、アドレッシングできる格納媒体にあるように構成されることもでき、１つまたはそれ以上のプロセッサを再生させるように構成されることもできる。従って、一例として、「部」は、ソフトウェア構成要素、客体指向ソフトウェア構成要素、クラス構成要素及びタスク構成要素のような構成要素と、プロセッサ、関数、属性、プロシージャ、サブルーチン、プログラムコードのセグメント、ドライバ、ファームウェア、マイクロコード、回路、データ、データベース、データ構造、テーブル、アレイ及び変数を含む。構成要素と「部」内で提供される機能は、さらに小さい数の構成要素及び「部」に結合したり追加の構成要素と「部」にさらに分離され得る。
【００２４】
本開示で用いられる全ての技術的用語及び科学的用語は、他に定義されていない限り、本開示が属する技術分野において通常の知識を有する者に一般に理解される意味を有する。本開示で用いられる全ての用語は、本開示をより明確に説明する目的で選択されたものであり、本開示の範囲を制限するために選択されたものではない。
【００２５】
本開示で記述された単数型の表現は異なって言及しない以上、複数型の表現も共に含み得、これは請求項に記載された単数型の表現にも同様に適用される。
【００２６】
本開示の多様な実施例で用いられた「第１」、「第２」などの表現は、複数の構成要素を相互区分するために用いるものであるだけで、当該構成要素の順序または重要度を限定するものではない。
【００２７】
本開示で用いられる「含む」及び「有する」という表現は、当該表現が含まれる文言または文章で特に異なって言及されない限り、他の実施例を含む可能性を内包する開放型用語(ｏｐｅｎ-ｅｎｄｅｄ  ｔｅｒｍｓ)と理解されるべきである。
【００２８】
本開示で「〜に基づいて」という表現は、当該表現が含まれる文言で記述される決定または判断の行為または動作に影響を与える１つ以上の因子を記述するのに用いられ、この表現は決定または判断の行為または動作に影響を与える追加の因子を排除しない。
【００２９】
本開示で、ある構成要素が他の構成要素に「連結されて」いるか、「接続されて」いると言及された時には、上記ある構成要素が上記他の構成要素に直接的に連結されているか、または接続されていることもあるが、上記ある構成要素と上記他の構成要素との間に新たな他の構成要素が存在することもあると理解されるべきである。
【００３０】
以下、添付の図面を参照し、本開示の実施例を詳細に説明する。図面上の同一の構成要素に対しては、同一の参照符号を用いて同一の構成要素に対して重複した説明は省略する。
【００３１】
図１は、本開示の一実施例による光学装置の使用環境を示す例示図である。
【００３２】
図１に示された通り、医師(Ｄ,  ｄｏｃｔｏｒ)は光学装置(１０)を活用して患者(Ｐ,  ｐａｔｉｅｎｔ)に対する手術前後または手術途中に対象体である患者(Ｐ)の患部(ＡＡ)に対する検査を進行することができる。一実施例として医師(Ｄ)は患部(ＡＡ)を患者(Ｐ)から分離していない状態で光学装置(１０)を用いて検査を進行でき、他の実施例として、医師(Ｄ)は患部(ＡＡ)の一部を患者(Ｐ)から分離して分離された患部(ＡＡ)の一部を光学装置(１０)を用いて検査を進行することもできる。
【００３３】
光学装置(１０)は、患者(Ｐ)の患部(ＡＡ)に対する立体映像を形成できるステレオ顕微鏡(１２)及び患者(Ｐ)の患部(ＡＡ)に対する断層映像を形成できるＯＣＴ(Ｏｐｔｉｃａｌ  Ｃｏｈｅｒｅｎｃｅ  Ｔｏｍｏｇｒａｐｈｙ)ユニット(１４)を含み得る。一実施例として、医師(Ｄ)はステレオ顕微鏡(１２)を用いて患者(Ｐ)の患部(ＡＡ)に対する外形検査を進行することができる。この場合、ステレオ顕微鏡(１２)を用いた外形検査の進行中にその内部構造に対するより精密な検査(例えば、組織検査)が必要であると判断される場合、ＯＣＴユニット(１４)を用いて患者(Ｐ)の患部(ＡＡ)に対する立体的な断層映像を形成することができる。
【００３４】
図２は、本開示の一実施例による光学装置の構成を示す例示図である。
【００３５】
図２に示した通り、光学装置(１０)は、対象体(ＯＢ)の立体映像を形成するためのステレオ顕微鏡(１２)及び対象体の断層映像を形成するためのＯＣＴユニット(１４)を含み、ＯＣＴユニット(１４)は、対象体(ＯＢ)の断層映像を形成するためにステレオ顕微鏡(１２)と連結乃至結合され得る。一実施例として、ステレオ顕微鏡(１２)は、対物レンズ部(１１０)、第１倍率レンズ部(１２０)、第２倍率レンズ部(１３０)、光伝達部(１４０)、チューブレンズ部(１５０)及び対眼レンズ部(１６０)を含み得る。ただし、これは説明の目的に過ぎず、これに制限されるものではなく、多様なレンズが光学装置(１０)に含まれ得る。
【００３６】
対物レンズ部(１１０)は所定サイズの使用口径を有する複数のレンズで構成され得、複数のレンズの焦点距離を変化させて対物レンズ部(１１０)から対象体(ＯＢ)までの距離を示すワーキングディスタンス(ｗｏｒｋｉｎｇ  ｄｉｓｔａｎｃｅ)を調節する機能を行うことができる。また、対物レンズ部(１１０)は光軸(ＯＡＯ)を形成できるが、対物レンズ部(１１０)の光軸(ＯＡＯ)は対物レンズ部(１１０)に含まれた複数のレンズの各レンズ面の曲率中心を連結した線により定義され得る。
【００３７】
一対の第１倍率レンズ部(１２０)のそれぞれは、複数のレンズで構成され得、対物レンズ部(１１０)の使用口径内に位置する一対の倍率レンズ使用口径を有することができる。第１倍率レンズ部(１２０)は、倍率を変化させて対象体(ＯＢ)の立体映像の焦点を調節する機能を行うことができる。一実施例として、一対の第１倍率レンズ部(１２０)に含まれた複数のレンズは、対象体(ＯＢ)の立体映像を形成するための可視光線の波長領域(例えば、３８０ｎｍ〜８００ｎｍ)で動作可能に反射防止コーティング(ＡＲ(ａｎｔｉ-ｒｅｆｌｅｃｔｉｖｅ)ｃｏａｔｉｎｇ)されたり、倍率調節などが行われ得る。
【００３８】
第２倍率レンズ部(１３０)は、対物レンズ部(１１０)の使用口径内で倍率レンズ使用口径と別途に配置されるＯＣＴ(Ｏｐｔｉｃａｌ  Ｃｏｈｅｒｅｎｃｅ  Ｔｏｍｏｇｒａｐｈｙ)使用口径を有する複数のレンズで構成され得る。第２倍率レンズ部(１３０)は、倍率を変化させて対象体(ＯＢ)の断層映像の焦点を調節する機能を行うことができる。また、第２倍率レンズ部(１３０)は、光伝達部(１４０)から受信された光を対物レンズ部(１１０)を通じて対象体(ＯＢ)に照射し、対象体(ＯＢ)から反射され、対物レンズ部(１１０)を通じて伝達された光を光伝達部(１４０)に伝達することができる。一実施例として、第２倍率レンズ部(１３０)に含まれた複数のレンズは、対象体(ＯＢ)の断層映像を形成するための光の波長領域(例えば、赤外線波長領域(７００ｎｍ〜１４μｍ))で動作可能に反射防止コーティングされたり、倍率調節などが行われ得る。
【００３９】
光伝達部(１４０)は、ＯＣＴユニット(１４)から光を受信して第２倍率レンズ部(１３０)に伝達し、第２倍率レンズ部(１３０)から受信された光をＯＣＴユニット(１４)に伝達することができる。図２では、光伝達部(１４０)が一対のチューブレンズ部(１５０)と第２倍率レンズ部(１３０)との間に位置するものとして示されたが、光伝達部(１２０)は、一対の接眼レンズ部(１６０)と一対のチューブレンズ部(１５０)との間に位置したり、一対の接眼レンズ部(１６０)と第２倍率レンズ部(１３０)との間でステレオ顕微鏡(１２)のための光学系と重畳しない任意の位置に配置されることもできる。一実施例として、光伝達部(１４０)は、フォールディングミラー(ｆｏｌｄｉｎｇ  ｍｉｒｒｏｒ)、ビームスプリッタ(ｂｅａｍ  ｓｐｌｉｔｔｅｒ)、プリズム(ｐｒｉｓｍ)などを含み得る。ただし、これは説明の目的に過ぎず、これに制限されるものではなく、光を屈折させることができる多様な装置が光伝達部(１４０)を構成することができる。
【００４０】
一対のチューブレンズ部(１５０)は、一対の第１倍率レンズ部(１２０)から受信された光を一対の接眼レンズ部(１６０)に伝達でき、一対の接眼レンズ部(１６０)は一対のチューブレンズ部(１５０)から受信された光に基づいて対象体(ＯＢ)の立体映像がそれぞれ結像されるようにすることができる。医師(Ｄ)などの光学装置(１０)の使用者は、両眼を用いて一対の接眼レンズ部(１６０)にそれぞれ結像された対象体(ＯＢ)の立体映像を確認することができる。
【００４１】
図３は、本開示の一実施例による光学装置の各使用口径を示す概念図である。
【００４２】
図３に示した通り、対物レンズ部(１１０)は、所定サイズの使用口径(ＵＡＯ)を形成するように構成され得る。また、一対の第１倍率レンズ部(１２０)は、対物レンズ部(１１０)の使用口径(ＵＡＯ)内に位置する一対の倍率レンズ使用口径(ＵＡＦ1)を形成するように構成され得、第２倍率レンズ部(１３０)は対物レンズ部(１１０)の使用口径(ＵＡＯ)内で一対の倍率レンズ使用口径(ＵＡＦ1)と別途に配置されるＯＣＴ使用口径(ＵＡＦ2)を形成するように構成され得る。
【００４３】
また、一対の第１倍率レンズ部(１２０)と第２倍率レンズ部(１３０)のそれぞれは、一対の第１倍率レンズ部(１２０)が含む複数のレンズと第２倍率レンズ部(１３０)が含む複数のレンズのそれぞれの側面を囲み、別途に配置される鏡筒(ＭＴ１，ＭＴ２)を含み得る。このような方式によりステレオ顕微鏡(１２)のための光学系の構成(第１倍率レンズ部(１２０))とＯＣＴユニット(１４)のための光学系の構成(第２倍率レンズ部(１３０))を分離することによって、それぞれの光学系に用いられる波長に合せて波長を変更する場合、それぞれの波長による反射防止コーティングまたは倍率調節の遂行が難しいため、発生し得る性能の低下を改善することができる。
【００４４】
一対の倍率レンズ使用口径(ＵＡＦ1)は、対物レンズ部(１１０)の光軸(ＯＡＯ)を基準に対称となる位置に配置され得る。また、ＯＣＴ使用口径(ＵＡＦ2)は、一対の倍率レンズ使用口径(ＵＡＦ1)の中心を連結した軸(ＣＡ)と離隔して配置され、ＯＣＴ使用口径(ＵＡＦ2)の中心から軸(ＣＡ)に連結される法線(ＮＲ)は対物レンズ部(１１０)の光軸(ＯＡＯ)と略垂直に交差することができる。また、倍率レンズ使用口径(ＵＡＦ1)とＯＣＴ使用口径(ＵＡＦ2)との間の位置関係は、対物レンズ部(１１０)の使用口径(ＵＡＯ)内で互いに重ならないように多様な形態に形成され得る。
【００４５】
また、光学装置(１０)は、対物レンズ部(１１０)の使用口径(ＵＡＯ)内で倍率レンズ使用口径(ＵＡＦ1)及びＯＣＴ使用口径(ＵＡＦ2)と離隔配置される使用口径(ＵＡＩ)を有する照明部(図示せず)をさらに含み得る。使用口径(ＵＡＩ)の中心から軸(ＣＡ)に連結される法線(ＮＲ)は、対物レンズ部(１１０)の光軸(ＯＡＯ)と略垂直に交差することができる。また、使用口径(ＵＡＩ)と一対の倍率レンズ使用口径(ＵＡＦ1)またはＯＣＴ使用口径(ＵＡＦ2)との間の位置関係は、対物レンズ部(１１０)の使用口径(ＵＡＯ)内で互いに重ならないように多様な形態に形成されることもできる。
【００４６】
照明部は、対象体(ＯＢ)の適切な立体映像が形成され得るように多様な方式で対象体(ＯＢ)に照明を照射することができる。一実施例として、照明部は、光源で発生した照明を対物レンズ部(１１０)を通じて対象体(ＯＢ)に照射するエピ照明(Ｅｐｉ-ｉｌｌｕｍｉｎａｔｉｏｎ)を含み得る。ただし、これは説明の目的に過ぎず、これに制限されるものではなく、対象体(ＯＢ)に照明を照射できる多様な手段が照明部を構成することができる。図４は、本開示の一実施例による対象体の立体映像及び断層映像を形成するための光路の形成方法の手順を示すフローチャートである。
【００４７】
本フローチャートでプロセス段階、方法段階、アルゴリズムなどが段階的な順序で説明されているが、そのようなプロセス、方法及びアルゴリズムは任意の適切な順序で作動するように構成され得る。言い換えれば、本開示の多様な実施例で説明されるプロセス、方法及びアルゴリズムの段階が、本開示で記述された順序で行われる必要はない。また、一部段階が非同時的に行われるものとして説明されても、他の実施例では、このような一部段階が同時に行われ得る。また、図面での描写によるプロセスの例示は例示されたプロセスがそれに関する他の変化及び修正を除くことを意味せず、例示されたプロセスまたはその段階の任意のものが本開示の多様な実施例の１つ以上に必須であることを意味せず、例示されたプロセスが望ましいということを意味しない。
【００４８】
図４に示した通り、段階(Ｓ４１０)で、所定サイズを有する対物レンズ部の使用口径が形成され得る。例えば、図１〜図３を参照すれば、光学装置(１０)の対物レンズ部(１１０)は、所定サイズの使用口径(ＵＡＯ)を形成することができる。一実施例として、対物レンズ部(１１０)は、複数のレンズを含み、複数のレンズそれぞれの使用口径が重畳した領域を示す所定サイズの使用口径(ＵＡＯ)を形成することができる。
【００４９】
段階(Ｓ４２０)で、対物レンズ部の使用口径内に位置するように倍率レンズ使用口径が形成され得る。例えば、図１〜図３を参照すれば、光学装置(１０)の第１倍率レンズ部(１２０)は、対物レンズ部(１１０)の使用口径(ＵＡＯ)内に位置するように倍率レンズ使用口径(ＵＡＦ1)を形成することができる。一実施例として、倍率レンズ使用口径(ＵＡＦ1)は、対物レンズ部(１１０)の光軸(ＯＡＯ)を基準に対称となる形態に形成され得る。ただし、これは説明の目的に過ぎず、これに制限されるものではなく、多様な方法により対物レンズ部の使用口径内に位置するように倍率レンズ使用口径が形成され得る。段階(Ｓ４３０)で、対物レンズ部の使用口径内に位置し、倍率レンズ使用口径と別途に配置されるＯＣＴ使用口径が形成され得る。例えば、図１〜図３を参照すれば、光学装置(１０)の第２倍率レンズ部(１３０)は、対物レンズ部(１１０)の使用口径(ＵＡＯ)内に位置し、倍率レンズ使用口径(ＵＡＦ1)と別途に配置されるＯＣＴ使用口径(ＵＡＦ2)を形成することができる。一実施例として、ＯＣＴ使用口径(ＵＡＦ2)は、倍率レンズ使用口径(ＵＡＦ1)の中心を連結した軸(ＣＡ)と離隔して配置され、ＯＣＴ使用口径(ＵＡＦ2)の中心から倍率レンズ使用口径(ＵＡＦ1)を連結した軸(ＣＡ)と連結される法線(ＮＲ)は、対物レンズ部(１１０)の光軸(ＯＡＯ)と略垂直に交差するように形成され得る。ただし、これは説明の目的に過ぎず、これに制限されるものではなく、多様な方法により対物レンズ部の使用口径内に位置し、倍率レンズ使用口径と別途に配置されるＯＣＴ使用口径が形成され得る。
【００５０】
段階(Ｓ４４０)で、対象体の断層映像を形成するために、ＯＣＴユニットから受信された光が第２倍率レンズ部に伝達され得る。例えば、図１〜図３を参照すれば、光学装置(１０)の光伝達部(１４０)は、対象体(ＯＢ)の断層映像を撮影するために、ＯＣＴユニット(１４)から受信された多数の波長を有する光を第２倍率レンズ部(１３０)に伝達することができる。一実施例として、光伝達部(１４０)は、ＯＣＴユニット(１４)から受信された光を第２倍率レンズ部(１３０)に伝達する役割をすることができる任意の形態の光学要素で具現され得る。従って、光伝達部(１４０)は、光の屈折と透過を共に行うことができる構成要素(例えば、ビームスプリッタ)であり得るが、これに限定されるものではなく、相対的にさらに効率的な方式により光の屈折を行うことができる構成要素(例えば、フォールディングミラー)であり得る。
【００５１】
段階(Ｓ４５０)で、光伝達部から受信された光が対象体に照射され、対象体から反射された光が光伝達部に伝達され得る。例えば、図１〜図３を参照すれば、光学装置(１０)の第２倍率レンズ部(１３０)は、光伝達部(１４０)を通じてＯＣＴユニット(１４)から受信された光を対象体(ＯＢ)に照射し、対象体(ＯＢ)から反射された光を光伝達部(１４０)に伝達することができる。
【００５２】
段階(Ｓ４６０)で、第２倍率レンズ部から受信された光がＯＣＴユニットに伝達され得る。例えば、図１〜図３を参照すれば、光学装置(１０)の光伝達部(１４０)は、第２倍率レンズ部(１３０)から受信された光をＯＣＴユニット(１４)に伝達することができる。ＯＣＴユニット(１４)は、光伝達部(１４０)から受信された光を用いて対象体(ＯＢ)の断層映像を形成することができる。
【００５３】
上記方法は、特定の実施例を通じて説明されたが、上記方法は、さらにコンピュータで読み取り得る記録媒体にコンピュータが読み取り得るコードとして具現することが可能である。コンピュータが読み取り得る記録媒体は、コンピュータシステムにより読み取り得るデータが格納される全ての種類の記録装置を含む。コンピュータが読み取り得る記録媒体の例としてはＲＯＭ、ＲＡＭ、ＣＤ-ＲＯＭ、磁気テープ、フロッピーディスク、光データ格納装置などを含む。また、コンピュータが読み取り得る記録媒体は、ネットワークに連結されたコンピュータシステムに分散し、分散方式によりコンピュータが読み取り得るコードが格納されて実行され得る。そして、上記実施例を具現するための機能的な(ｆｕｎｃｔｉｏｎａｌ)プログラム、コード及びコードセグメントは、本開示が属する技術分野のプログラマにより容易に推論され得る。
【００５４】
本明細書では、本開示が一部実施例と関連して説明されたが、本開示が属する技術分野の当業者が理解できる本開示の思想及び範囲を逸脱しない範囲で多様な変形及び変更がなされ得るという点を知らなければならない。また、そのような変形及び変更は、本明細書に添付の特許請求の範囲内に属すると考えられるべきである。
【図１】
2020530129.tif 000003
【図２】
2020530129.tif 000004
【図３】
2020530129.tif 000005
【図４】
2020530129.tif 000006
【国際調査報告】
2020530129.tif 000007
2020530129.tif 000008
2020530129.tif 000009
2020530129.tif 000010